(57)【要約】【課題】２室暖房システムにおいて、ヒートショックを抑制しつつ、快適性をより向上させること。【解決手段】本発明に係る２室暖房システムは、浴室を暖める浴室暖房機器と、洗面所を暖める洗面所暖房機器と、浴室暖房機器と洗面所暖房機器の動作を制御する制御部と、浴室温度を検出する浴室温度検出手段と、洗面所温度を検出する洗面所温度検出手段と、を備え、制御部は、浴室温度検出手段及び洗面所温度検出手段によって検出された浴室及び洗面所の温度と、浴室暖房機器及び洗面所暖房機器を連動して暖めるときの目標温度と、の差分温度と、算出された差分温度を所定温度ごとに分割する分割温度を算出し、浴室または洗面所の一方の部屋の温度に基づいて、浴室または洗面所の他方の部屋の温度が分割温度ごとに上昇するように、浴室暖房機器または洗面所暖房機器の少なくとも一方を運転する。【選択図】図６
2018169099.tif 000002
【特許請求の範囲】
【請求項１】
浴室及び浴室に隣接する洗面所を連動して暖める２室暖房システムであって、
浴室に設けられ、浴室を暖める浴室暖房機器と、
洗面所に設けられ、洗面所を暖める洗面所暖房機器と、
前記浴室暖房機器と前記洗面所暖房機器の動作を制御する制御部と、
浴室温度を検出する浴室温度検出手段と、
洗面所温度を検出する洗面所温度検出手段と、を備え、
前記制御部は、
前記浴室温度検出手段及び前記洗面所温度検出手段によって検出された前記浴室及び前記洗面所の温度と、前記浴室暖房機器及び前記洗面所暖房機器を連動して暖めるときの目標温度と、の差分温度をそれぞれ算出し、
算出された前記差分温度を所定温度ごとに分割する分割温度を算出し、
前記浴室または前記洗面所の一方の部屋の温度に基づいて、前記浴室または前記洗面所の他方の部屋の温度が前記分割温度ごとに上昇するように、前記浴室暖房機器または前記洗面所暖房機器の少なくとも一方を運転する
ことを特徴とする２室暖房システム。
【請求項２】
前記制御部は、
前記一方の部屋の温度が所定の温度に達していない場合、前記他方の部屋の温度を一定に維持するように、前記他方の部屋に設けられる前記浴室暖房機器または前記洗面所暖房機器を運転する
ことを特徴とする請求項１に記載の２室暖房システム。
【請求項３】
前記制御部は、前記分割温度の分割割合を変更することができる
ことを特徴とする請求項２に記載の２室暖房システム。
【請求項４】
前記制御部は、前記差分温度に基づいて、前記分割温度の分割割合を設定する
ことを特徴とする請求項３に記載の２室暖房システム。
【請求項５】
前記分割温度の分割割合は、前記差分温度が大きいほど大きく設定される
ことを特徴とする請求項４に記載の２室暖房システム。
【発明の詳細な説明】
【技術分野】
【０００１】
本発明は、浴室と浴室に隣接する洗面所を暖める２室暖房システムに関する。
【背景技術】
【０００２】
従来、冬場の入浴時に暖かい室内から寒い洗面所や浴室へ移動し、熱めのお湯に入浴する一連の動作の中で、急激な温度差が身体への悪影響を及ぼすヒートショックを防止するために洗面所や浴室の温度差を無くすことを目的に洗面所や浴室双方への暖房機器の設置が推奨されている。
【０００３】
下記特許文献１に、浴室及び洗面所に暖房機器を設置する２室暖房システムが提案されている。
【０００４】
下記特許文献１に記載された２室暖房システムは、浴室や洗面所に設けた暖房機器によって、双方を強制的に暖めてヒートショックを防止することができる。さらに、暖房開始時刻を予め設定しておくことで、毎日その設定時刻に暖房運転が開始され、使用者が毎日暖房スイッチを操作する必要が無く使い勝手を良くしたものである。
【先行技術文献】
【特許文献】
【０００５】
【特許文献１】特開２００２−２２２４０号公報
【発明の概要】
【発明が解決しようとする課題】
【０００６】
しかしながら、上述した従来の２室暖房システムにおいては、浴室に設けられた暖房機器と洗面所に設けられた暖房機器の性能の違いや、浴室と洗面所の部屋の大きさ、各部屋の断熱効果、外気の違い等によって、それぞれの部屋において暖房開始から目標温度に到達するまでの時間が異なってしまう。つまり、それぞれの部屋において暖房開始から目標温度に到達するまでに、浴室と洗面所とで温度差が発生してしまう。
このように、暖房開始から目標温度到達前であって、浴室と洗面所とで温度差が発生している状態のときに、使用者が洗面所を通って浴室を利用しようとすると、浴室と洗面所との温度差によってヒートショックが発生してしまうといった懸念がある。また、洗面所や浴室の使用者が、一方の部屋が暖かいと感じて他方の部屋へ移動した際、温度差によって不快に感じてしまうといった懸念もある。
【０００７】
本発明は、上述した課題を解決するためになされたものであり、ヒートショックを抑制するとともに、快適性をより向上させた２室暖房システムを提供することを目的とする。
【課題を解決するための手段】
【０００８】
上記目的を達成するために、本発明の一態様に係る２室暖房システムによれば、浴室及び浴室に隣接する洗面所を連動して暖める２室暖房システムであって、浴室に設けられ、浴室を暖める浴室暖房機器と、洗面所に設けられ、洗面所を暖める洗面所暖房機器と、浴室暖房機器と洗面所暖房機器の動作を制御する制御部と、浴室温度を検出する浴室温度検出手段と、洗面所温度を検出する洗面所温度検出手段と、を備え、制御部は、浴室温度検出手段及び洗面所温度検出手段によって検出された浴室及び洗面所の温度と、浴室暖房機器及び洗面所暖房機器を連動して暖めるときの目標温度と、の差分温度をそれぞれ算出し、算出された差分温度を所定温度ごとに分割する分割温度を算出し、浴室または洗面所の一方の部屋の温度に基づいて、浴室または洗面所の他方の部屋の温度が分割温度ごとに上昇するように、浴室暖房機器または洗面所暖房機器の少なくとも一方を運転する。
【０００９】
この構成によれば、浴室または洗面所の一方の部屋の温度に基づいて、浴室または洗面所の他方の部屋の温度が、分割温度ごとに上昇するように、浴室暖房機器または洗面所暖房機器の少なくとも一方を運転する、つまり、一方の部屋の温度に基づいて、所定温度ずつ他方の部屋の温度を上昇させることができる。これにより、暖房開始から目標温度到達までに、浴室及び洗面所に温度差が発生してしまうことを抑制することができる。
【００１０】
また、本発明の一態様に係る２室暖房システムにおいて、好ましくは、前記制御部は、前記一方の部屋の温度が所定の温度に達していない場合、前記他方の部屋の温度を一定に維持するように、前記他方の部屋に設けられる前記浴室暖房機器または前記洗面所暖房機器を運転する。
【００１１】
この構成によれば、一方の部屋の温度が所定の温度に達していない場合、他方の部屋の温度を一定に維持するように、他方の部屋に設けられる機器を運転するので、例えば、浴室よりも洗面所の温度が高い場合は、洗面所の温度を一定に維持するように洗面所暖房機器を運転する。これにより、洗面所の温度を一定に維持している間に、浴室暖房機器によって浴室を暖房して洗面所の温度に近づけることができる。そのため、暖房開始から目標温度到達までに、浴室及び洗面所に温度差が発生してしまうことをより確実に抑制することができる。
【００１２】
また、本発明の一態様に係る２室暖房システムにおいて、好ましくは、制御部は、分割温度の分割割合を変更することができる。
【００１３】
この構成によれば、浴室または洗面所の温度状況や差分温度等に合わせて暖房運転を行うことができるため、暖房開始から目標温度到達までに、浴室及び洗面所に温度差が発生してしまうことをより確実に抑制することができる。
【００１４】
また、本発明の一態様に係る２室暖房システムにおいて、好ましくは、制御部は、差分温度に基づいて、前記分割温度の分割割合を設定する。
【００１５】
この構成によれば、差分温度に基づいて分割温度の分割割合を設定するので、例えば差分温度の大小に応じて、分割温度の分割割合を変更することができる。つまり、浴室または洗面所の温度状況に合わせて暖房運転を行うことができるため、暖房開始から目標温度到達までに、浴室及び洗面所に温度差が発生してしまうことをより確実に抑制することができる。
【００１６】
また、本発明の一態様に係る２室暖房システムにおいて、好ましくは、分割温度の分割割合は、差分温度が大きいほど大きく設定される。
【００１７】
この構成によれば、差分温度が大きいほど、分割温度の分割割合が大きく設定されるので、目標温度までの到達時間を早めることができる。そのため、暖房開始前の部屋の温度と目標温度との差が大きい場合であっても、暖房開始から目標温度到達までの時間を短くしつつ、暖房開始から目標温度到達までに浴室及び洗面所に温度差が発生してしまうことを抑制することができる。
【発明の効果】
【００１８】
本発明によれば、ヒートショックを抑制するとともに、快適性をより向上させた２室暖房システムを提供することができる。
【図面の簡単な説明】
【００１９】
【図１】本発明の第一実施形態に係る２室暖房システムを浴室及び洗面所に取り付けた形態を模式的に示す図である。
【図２】本発明の第一実施形態に係る２室暖房システムの要部構成を表すブロック図である。
【図３】本発明の第一実施形態に係る２室暖房システムの浴室暖房機器の断面を示す断面図である。
【図４】本発明の第一実施形態に係る２室暖房システムの洗面所暖房機器の断面を示す断面図である。
【図５】本発明の第一実施形態に係る２室暖房システムの制御部の要部構成を表すブロック図である。
【図６】本発明の第一実施形態に係る２室暖房システムの制御を表すフローチャートである。
【図７】本発明の第一実施形態に係る２室暖房システムの浴室温度と洗面所温度の温度推移の一例を示すグラフである。
【図８】本発明の第二実施形態に係る２室暖房システムの浴室温度と洗面所温度の温度推移の一例を示すグラフである。
【図９】本発明の第三実施形態に係る２室暖房システムの浴室温度と洗面所温度の温度推移の一例を示すグラフである。
【図１０】本発明の第四実施形態に係る２室暖房システムの浴室温度と洗面所温度の温度推移の一例を示すグラフである。
【発明を実施するための形態】
【００２０】
以下、本発明の実施の形態について添付図面を参照しながら説明する。なお、各図面中、同様の構成要素には同一の符号を付して詳細な説明は適宜省略する。
【００２１】
（第一実施形態）
まず、図１を参照して、本発明の第一実施形態に係る２室暖房システムについて説明する。なお、以下においては、図中に示す方向を用いて説明する。
【００２２】
図１は、本発明の第一実施形態に係る２室暖房システムを浴室及び洗面所に取り付けた形態を模式的に示す図である。
【００２３】
図１に示すように、２室暖房システム１は、浴室２及び浴室２に隣接する洗面所３を連動して暖める。この２室暖房システム１は、浴室２に設けられる浴室暖房機器１００と、洗面所３に設けられる洗面所暖房機器２００を備えている。
浴室暖房機器１００は、浴室２の浴室天井４に取り付けられている。浴室暖房機器１００は、浴室２内の空気を吸い込み、電気式加熱部である第一ヒータ１０４を経由させて浴室２に空気を吹き出すことができる（図２及び図３参照）。この第一ヒータ１０４によって、浴室暖房機器１００は浴室２を暖めることができる。
洗面所暖房機器２００は、洗面所３内の洗面所天井５に取り付けられている。洗面所暖房機器２００は、洗面所３内の空気を吸い込み、電気式加熱部である第二ヒータ２０４を経由させて洗面所３に空気を吹き出すことができる（図２及び図３参照）。この第二ヒータ２０４によって、洗面所３を暖めることができる。
浴室暖房機器１００及び洗面所暖房機器２００は、分電盤Ｖ内の図示しないブレーカーにそれぞれ接続されている。また、浴室暖房機器１００及び洗面所暖房機器２００は操作部８に接続され、操作部８の信号を受けて動作する。操作部８と、浴室暖房機器１００及び洗面所暖房機器２００と、の通信は、有線もしくは無線で行われる。
なお、浴室暖房機器１００または洗面所暖房機器２００は、浴室内または洗面所内の壁面に設けられるような構成であってもよい。
【００２４】
次に、図２〜図４を参照して、浴室暖房機器１００及び洗面所暖房機器２００の構成について説明する。
【００２５】
図２は、本発明の第一実施形態に係る２室暖房システムの要部構成を表すブロック図である。図３は、本発明の第一実施形態に係る２室暖房システムの浴室暖房機器の断面を示す断面図である。図４は、本発明の第一実施形態に係る２室暖房システムの洗面所暖房機器の断面を示す断面図である。
【００２６】
図２に示すように、浴室暖房機器１００は、第一内部流路１１０と、浴室２内の温度を検出する浴室温度検出手段１０７（以下、浴室温度センサ）と、第一送風手段１０２（以下、第一ファン）と、第一ダンパ１０３と、第一ヒータ１０４と、第一排出経路１２０と、第一制御部１５０と、を備える。第一内部流路１１０は、空気を浴室暖房機器１００内に取り込む第一取込口１０１と空気を吹き出す第一吹出口１０５とを連通し、第一取込口１０１から取り込まれた空気を第一吹出口１０５へ導くことができる。第一ファン１０２は、第一取込口１０１から空気を取り込み、第一取込口１０１から取り込まれた第一内部流路１１０の空気に流れを発生させる。第一吹出口１０５は、第一吹出口１０５から空気を吹出す際の吹出し方向を可変可能な第一ルーバ１０６を備える。
【００２７】
第一ダンパ１０３は、適宜駆動することにより、第一ファン１０２から送られてきた空気を第一吹出口１０５へ向かう第一内部流路１１０へ送る割合と、第一排出経路１２０へ送る割合と、を変更する。第一排出経路１２０は、第一ダンパ１０３において第一内部流路１１０から分岐し、第一取込口１０１から取り込まれた第一内部流路１１０の空気の少なくとも一部を浴室２の外部へ排出することができる。浴室温度センサ１０７は、第一内部流路１１０を流れる空気の温度を検出することができる。浴室温度センサ１０７で検出した温度の情報は、第一制御部１５０へ送られる。
なお、浴室温度センサ１０７が設けられる位置は、浴室内の温度を測定可能な任意の位置に設けられ、第一ヒータ１０４よりも上流側であればよい。
【００２８】
第一制御部１５０は、操作部８と、浴室温度センサ１０７と、第一ファン１０２と、第一ダンパ１０３と、第一ヒータ１０４と、第一ルーバ１０６と、第二制御部２５０とに接続されている。この第一制御部１５０は、操作部８からの信号を受けると、第一ファン１０２と、第一ダンパ１０３と、第一ヒータ１０４と、第一ルーバ１０６の動作を制御することができる。
この第一制御部１５０と後述する第二制御部２５０が、本実施形態における制御部としての機能を果たす。なお、本実施形態は、制御部が浴室暖房機器１００と洗面所暖房機器２００のそれぞれに設けられる構成であるが、いずれか一方に設けられる構成であってもよい。また、制御部を浴室暖房機器１００及び洗面所暖房機器２００とは別体として設けられるような構成であってもよい。
【００２９】
洗面所暖房機器２００は、第二内部流路２１０と、洗面所３内の温度を検出する洗面所温度検出手段２０７（以下、洗面所温度センサ）と、第二送風手段２０２（以下、第二ファン）と、第二ダンパ２０３と、第二ヒータ２０４と、第二排出経路２２０と、第二制御部２５０と、を備える。第二内部流路２１０は、空気を洗面所暖房機器２００内に取り込む第二取込口２０１と空気を吹き出す第二吹出口２０５とを連通し、第二取込口２０１から取り込まれた空気を第二吹出口２０５へ導くことができる。第二ファン２０２は、第二取込口２０１から空気を取り込み、第二取込口２０１から取り込まれた第二内部流路２１０の空気に流れを発生させる。第二吹出口２０５は、第二吹出口２０５から空気を吹出す際の吹出し方向を可変可能な第二ルーバ２０６を備える。
【００３０】
第二ダンパ２０３は、適宜駆動することにより、第二ファン２０２から送られてきた空気を第二吹出口２０５へ向かう第二内部流路２１０へ送る割合と、第二排出経路２２０へ送る割合と、を変更する。第二排出経路２２０は、第二ダンパ２０３において第二内部流路２１０から分岐し、第二取込口２０１から取り込まれた第二内部流路２１０の空気の少なくとも一部を洗面所３の外部へ排出することができる。洗面所温度センサ２０７は、第二内部流路２１０を流れる空気の温度を検出することができる。洗面所温度センサ２０７で検出した温度の情報は、第二制御部２５０へ送られる。
なお、洗面所温度センサ２０７が設けられる位置は、洗面所内の温度を測定可能な任意の位置に設けられ、第二ヒータ２０４よりも上流側であればよい。また、洗面所暖房機器２００は、少なくとも暖房機能を有していればよく、第二ダンパ２０３や第二排出流路２２０を有していなくてもよい。
【００３１】
第二制御部２５０は、操作部８と、洗面所温度センサ２０７と、第一ファン２０２と、第二ダンパ２０３と、第二ヒータ２０４と、第二ルーバ２０６と、第一制御部１５０とに接続されている。この第二制御部２５０は、操作部８からの信号を受けると、第二ファン２０２と、第二ダンパ２０３と、第二ヒータ２０４と、第二ルーバ２０６の動作を制御することができる。
【００３２】
図３に示すように、浴室暖房機器１００は、浴室暖房機器筐体１３０を備え、第一内部流路１１０と、浴室温度センサ１０７と、第一ファン１０２と、第一ヒータ１０４と、は、浴室暖房機器筐体１３０の内部に設けられている。また、図示は省略するが、第一ダンパ１０３及び第一排出経路１２０も浴室暖房機器筐体１３０の内部に設けられている。
【００３３】
図４に示すように、洗面所暖房機器２００は、洗面所暖房機器筐体２３０を備え、第二内部流路２１０と、洗面所温度センサ２０７と、第二ファン２０２と、第二ヒータ２０４と、は、洗面所暖房機器筐体２３０の内部に設けられている。また、図示は省略するが、第二ダンパ２０３及び第二排出経路２２０も、洗面所暖房機器筐体２３０の内部に設けられている。
【００３４】
次に、図５を参照して、第一制御部１５０及び第二制御部２５０の構成について説明する。
【００３５】
図５は、本発明の第一実施形態に係る２室暖房システムの制御部の要部構成を表すブロック図である。
【００３６】
図５に示すように、第一制御部１５０は、浴室通信制御部１５１と、第一温度調整部１５２と、第一熱源駆動部１５４と、を有している。一方で、第二制御部２５０は、洗面所通信制御部２５１と、第二温度調整部２５２と、第二熱源駆動部２５４と、を有している。
【００３７】
浴室通信制御部１５１及び洗面所通信制御部２５１は、操作部８からの信号を受け取ると、浴室暖房機器１００及び洗面所暖房機器２００によって浴室２及び洗面所３の２室を暖める２室暖房運転を行う。このとき、操作部８から浴室通信制御部１５１及び洗面所制御部２５１に共通の信号が入力されて、２室暖房運転が開始される。
なお、本実施形態における２室暖房システム１は、操作部８の操作に応じて、浴室２または洗面所３の一方の部屋のみを暖める暖房運転や、浴室２または洗面所３を換気する換気運転、ヒータを出力しながら換気する乾燥運転等を実行することができる。
【００３８】
浴室通信制御部１５１は、操作部８からの運転指令や第二制御部２５０の洗面所通信制御部２５１から出力される情報を受け取ると、受け取った情報を第一温度調整部１５２に送る。また浴室通信制御部１５１は、操作部８からの運転指令や浴室温度センサ１０７からの温度情報を受け取ると、受け取った情報を第二制御部２５０の洗面所通信制御部２５１へ送る。
【００３９】
洗面所通信制御部２５１は、操作部８からの運転指令や第一制御部１５０の浴室通信制御部１５１から出力される情報を受け取ると、受け取った情報を第二温度調整部２５２に送る。また、洗面所通信制御部２５１は、操作部８からの運転指令や、洗面所温度センサ２０７からの温度情報を受け取ると、受け取った情報を第一制御部１５０の浴室通信制御部１５１へ送る。
つまり、第一制御部１５０と第二制御部２５０は、浴室通信制御部１５１と洗面所通信制御部２５１とによって、互いの情報を通信している。
【００４０】
第一温度調整部１５２は、浴室通信制御部１５１及び浴室通信制御部１５１を介して第二制御部２５０の洗面所通信制御部２５１から送られてくる情報や、浴室温度センサ１０７からの情報に基づいて、第一熱源駆動部１５４に指令信号を出力する。
なお、浴室通信制御部１５１を介して第二制御部２５０の洗面所通信制御部２５１から第一温度調整部１５２に送られてくる情報は、洗面所温度センサ２０７で検出された温度情報を含む。
【００４１】
第一温度調整部１５２は、浴室温度センサ１０７によって検出された浴室２の温度と、浴室暖房機器１００及び洗面所暖房機器２００を連動して暖房する２室暖房運転を行う際の目標温度と、の差の温度である第一差分温度を算出する。また、第一温度調整部１５２は、算出した第一差分温度を所定温度ごとに分割する第一分割温度をさらに算出する。第一温度調整部１５２は、洗面所温度センサ２０７によって検出された洗面所３の温度に基づいて、算出した第一分割温度ごとに浴室２の温度が上昇するように、第一熱源駆動部１５４を制御する。
【００４２】
第二温度調整部２５２は、洗面所通信制御部２５１及び洗面所通信制御部２５１を介して第一制御部１５０の浴室通信制御部１５１から送られてくる情報や、洗面所温度センサ２０７からの情報に基づいて、第二熱源駆動部２５４に指令信号を出力する。
なお、洗面所通信制御部２５１を介して第一制御部１５０の浴室通信制御部１５１から第二温度調整部２５２に送られてくる情報は、浴室温度センサ１０７で検出された温度情報を含む。
【００４３】
第二温度調整部２５２は、洗面所温度センサ２０７によって検出された洗面所３の温度と、浴室暖房機器１００及び洗面所暖房機器２００を連動して暖房する２室暖房運転を行う際の目標温度と、の差の温度である第二差分温度を算出する。また、第二温度調整部２５２は、算出した第二差分温度を所定温度ごとに分割する第二分割温度をさらに算出する。第二温度調整部２５２は、浴室温度センサ１０７によって検出された浴室２の温度に基づいて、算出した第二分割温度ごとに洗面所３の温度が上昇するように、第二熱源駆動部２５４を制御する。
【００４４】
第一熱源駆動部１５４と第二熱源駆動部２５４は、第一温度調整部１５２または第二温度調整部２５２からの指令に基づき、それぞれ第一ヒータ１０４と第二ヒータ２０４の出力を制御する。
なお、第一熱源駆動部１５４と第二熱源駆動部２５４は、第一ヒータ１０４と第二ヒータ２０４の出力の制御のみでなく、第一温度調整部１５２または第二温度調整部２５２からの指令に基づき、それぞれ第一ファン１０２と第二ファン２０２の回転数を制御してもよい。
【００４５】
次に、図６及び図７を参照して、本発明の第一実施形態に係る２室暖房システムの動作及び作用について説明する。
【００４６】
図６は、本発明の第一実施形態に係る２室暖房システムの制御を表すフローチャートである。図７は、本発明の第一実施形態に係る２室暖房システムの浴室温度と洗面所温度の温度推移の一例を示すグラフである。
【００４７】
図６に示すように、使用者による操作部８の操作や、タイマーによって設定された時間になる等によって、浴室２及び洗面所３を暖房する２室暖房が開始される（ステップＳ１００）と、浴室暖房機器１００の第一温度調整部１５２によって浴室２の温度と２室暖房運転を行う際の目標温度との差の温度である第一差分温度ΔＴ１を算出する（ステップＳ１０１）。具体的には、浴室温度センサ１０７からの浴室２の温度の情報及び浴室通信制御部１５１からの目標温度の情報に基づいて第一差分温度ΔＴ１を算出する。
そして、第一差分温度ΔＴ１が所定温度（絶対値：本実施形態では１０℃）よりも大きい場合は、ステップＳ１０３に進み、それ以外の場合はステップＳ１０２へ進む。
つまり、差分温度ΔＴの大きさに応じて、後述するΔＴａとΔＴｂのどちらを温度上昇値として記憶するかを決定する。
ここで、洗面所暖房機器２００においても、第二温度調整部２５２によって洗面所３の温度と２室暖房を行う際の目標温度との差の温度である第二差分温度ΔＴ２を算出する。そして、第二差分温度ΔＴ２が（本実施形態では１０℃）よりも大きい場合は、ステップＳ１０３に進み、それ以外の場合はステップＳ１０２へ進む。このように、本発明の第一実施形態においては、洗面所暖房機器２００も、ステップＳ１００〜ステップＳ１１３の動作を行う。
【００４８】
ステップＳ１０２に進む場合、算出した差分温度ΔＴをＮａ分割した値をΔＴａとし、温度上昇値として記憶する。具体的には、第一温度調整部１５２（第二温度調整部２５２）において、算出した第一差分温度ΔＴ１をＮａ分割した分割温度ΔＴａを温度上昇値として記憶する。
一方で、ステップＳ１０３に進む場合、算出した差分温度ΔＴをＮｂ分割した値をΔＴｂとし、温度上昇値として記憶する。ΔＴａの場合と同様に、第一温度調整部１５２（第二温度調整部２５２）において、算出した第一差分温度ΔＴ１をＮｂ分割した分割温度ΔＴｂを温度上昇値として記憶する。
なお、洗面所暖房機器２００の場合、第二温度調整部２５２において、算出した第二差分温度ΔＴ２を、ＮａまたはＮｂ分割した分割温度ΔＴａまたはΔＴｂとし、温度上昇値として記憶する。
【００４９】
ステップＳ１０２またはステップＳ１０３において、分割温度としてΔＴａまたはΔＴｂを記憶した後、第一ヒータ１０４及び第二ヒータ２０４の出力を決定し（ステップＳ１０４）、現在の室温Ｔが、浴室暖房機器１００及び洗面所暖房機器２００を連動して暖める２室暖房運転を行う際の目標温度Ｔｏと一致しているかを判定する（ステップＳ１０５）。換言すると、浴室温度センサ１０７によって検出された浴室２の温度が、目標温度Ｔｏと一致しているか否かを判定する。
なお、洗面所暖房機器２００の場合は、洗面所温度センサ２０７によって検出された洗面所３の温度が、目標温度Ｔｏと一致しているか否かを判定する。
【００５０】
ステップＳ１０５において、現在の室温Ｔが、目標温度Ｔｏと一致していると判定されると、目標温度Ｔｏを維持するように、温度調整部から熱源駆動部に指令を送り、ヒータの出力を制御する（ステップＳ１０６）。詳しくは、浴室温度センサ１０７によって検出された浴室２の温度が、目標温度Ｔｏと一致していれば、目標温度Ｔｏを維持するように第一温度調整部１５２から第一熱源駆動部１５４に指令を送り、第一ヒータ１０４の出力を制御する。
なお、洗面所暖房機器２００の場合は、洗面所温度センサ２０７によって検出された洗面所３の温度が、目標温度Ｔｏと一致していれば、目標温度Ｔｏを維持するように第二温度調整部２５２から第二熱源駆動部２５４に指令を送り、第二ヒータ２０４の出力を制御する。
【００５１】
ステップＳ１０５において、現在の室温Ｔが、目標温度Ｔｏと一致していないと判定されると、温度上昇値として分割温度ΔＴａを記憶したか否かを判定する（ステップＳ１０７）。換言すると、温度上昇値として、分割温度ΔＴａを記憶したか、分割温度ΔＴｂを記憶したか、を判定する。温度上昇値として分割温度ΔＴａを記憶した場合は、分割温度ΔＴａだけ室温を上昇させる（ステップＳ１０８）。一方、温度上昇値として分割温度ΔＴｂを記憶した場合は、分割温度ΔＴｂだけ室温を上昇させる（ステップＳ１０９）。
具体的には、第一温度調整部１５２に記憶された温度上昇値が分割温度ΔＴａかΔＴｂかを判定し、記憶していると判定した分割温度（ΔＴａまたはΔＴｂ）だけ室温を上昇させるように、第一温度調整部１５２から第一熱源駆動部１５４に指令を送って第一ヒータ１０４の出力を制御し、浴室２内の温度を上昇させる。
なお、洗面所暖房機器２００の場合は、第二温度調整部２５２に記憶された温度上昇値が分割温度ΔＴａかΔＴｂかを判定し、記憶していると判定した分割温度（ΔＴａまたはΔＴｂ）だけ室温を上昇させるように、第二温度調整部２５２から第二熱源駆動部２５４に指令を送って第二ヒータ２０４の出力を制御し、洗面所３内の温度を上昇させる。
【００５２】
ステップＳ１０８またはステップＳ１０９において、ΔＴａまたはΔＴｂだけ室温を上昇させた後、現在の室温Ｔが、２室暖房運転を行う際の目標温度Ｔｏと一致しているかを判定する（ステップＳ１１０）。
換言すると、浴室温度センサ１０７によって検出された浴室２の温度が、目標温度Ｔｏと一致しているか否かを判定する。
なお、洗面所暖房機器２００の場合は、洗面所温度センサ２０７によって検出された洗面所３の温度が、目標温度Ｔｏと一致しているか否かを判定する。
【００５３】
ステップＳ１１０において、現在の室温Ｔが２室暖房運転を行う際の目標温度Ｔｏと一致していると判定された場合は、ステップＳ１０６へ進み、現在の室温Ｔが２室暖房運転を行う際の目標温度Ｔｏと一致していないと判定された場合は、ステップＳ１１１に進む。
【００５４】
ステップＳ１１１では、浴室２と洗面所３の温度差ΔＴ’を算出し、算出したΔＴ’が所定温度（３℃）よりも小さいか否かを判定する。浴室２と洗面所３の温度差ΔＴ’が所定温度よりも小さいと判定されると、ステップＳ１０７へ進み、浴室２と洗面所３の温度差ΔＴ’が所定温度よりも小さくないと判定されると、ステップＳ１１２へ進む。
【００５５】
ステップＳ１１２では、他方の部屋よりも室温が高いか否かを判定する。具体的には、浴室暖房機器１００の場合、浴室温度センサ１０７によって検出される浴室２の温度と、洗面所温度センサ２０７によって検出される洗面所３の室温とを、第一温度調整部１５２によって比較する。そして、浴室２の室温が、他方の部屋である洗面所３の室温よりも高いと判定されると、第一温度調整部１５２から第一熱源駆動部１５４に指令を送って第一ヒータ１０４の出力を制御し、現在の浴室２の室温を維持させる（ステップＳ１１３）。反対に、浴室２の室温が、他方の部屋である洗面所３の室温よりも高くないと判定されると、ステップＳ１０７へ進み、温度上昇値として記憶した分割温度の分だけ、浴室２内の温度を上昇させるように浴室暖房機器１００の第一ヒータ１０４を制御する。
なお、洗面所暖房機器２００の場合、ステップＳ１１２では、浴室温度センサ１０７によって検出される浴室２の温度と、洗面所温度センサ２０７によって検出される洗面所３との室温とを、第二温度調整部２５２によって比較する。そして、洗面所３の室温が、他方の部屋である浴室２の室温よりも高いと判定されると、第二温度調整部２５２から第二熱源駆動部２５４に指令を送って第二ヒータ２０４の出力を制御し、現在の洗面所３の室温を維持させる（ステップＳ１１３）。反対に、洗面所３の室温が、他方の部屋である浴室２の室温よりも高くないと判定されると、ステップＳ１０７へ進み、温度上昇値として記憶した分割温度の分だけ、洗面所３内の温度を上昇させるように洗面所暖房機器２００の第二ヒータ２０４を制御する。
【００５６】
つまり、一方の部屋の温度が所定温度に達していない場合（本実施形態では、室温が低い一方の部屋の温度と、一方の部屋に比べて室温が高い他方の部屋の温度と、の温度差が３℃以上の場合）、一方の部屋に比べて室温が高い他方の部屋の温度を一定に維持するように、他方の部屋に設けられる浴室暖房機器１００または洗面所暖房機器２００を運転する。
【００５７】
このように、本発明の第一実施形態における２室暖房システムによれば、浴室２または洗面所３の一方の部屋の温度に基づいて、浴室２または洗面所３の他方の部屋の温度が、分割温度（ΔＴａまたはΔＴｂ）ごとに上昇するように、浴室暖房機器１００または洗面所暖房機器２００の少なくとも一方を運転する、つまり、一方の部屋の温度に基づいて所定温度ずつ他方の部屋の温度を上昇させることができる。換言すると、他方の部屋の温度を監視しながら一方の部屋の温度を少しずつ上昇させることができる。これにより、暖房開始から目標温度Ｔｏ到達までに、浴室２及び洗面所３に温度差が発生してしまうことを抑制することができる。
【００５８】
また、本発明の第一実施形態における２室暖房システムによれば、浴室２または洗面所３の一方の部屋の温度が所定温度に達していない場合、他方の部屋の温度を一定に維持するように、他方の部屋に設けられる機器を運転するので、例えば、浴室２よりも洗面所３の温度が高い場合は、洗面所３の温度を一定に維持するように洗面所暖房機器２００を運転する。これにより、洗面所３の温度を一定に維持している間に、浴室２は浴室暖房機器１００によって浴室２を暖房して洗面所３の温度に近づけることができる。反対に、洗面所３よりも浴室２の温度が高い場合は、浴室２の温度を一定に維持するように浴室暖房機器１００を運転する。
これにより、暖房開始から目標温度Ｔｏ到達までに、浴室２及び洗面所３に温度差が発生してしまうことをより確実に抑制することができる。
【００５９】
なお、予め設定された目標温度Ｔｏに到達した（ステップＳ１０６）後は、目標温度Ｔｏから所定時間経過するまで、もしくは、使用者によって２室暖房運転が終了操作されるまでは、ステップＳ１０６の処理を行う。
【００６０】
ここで、本発明の第一実施形態に係る２室暖房システム１の浴室と洗面所の空間温度の推移について、図７を用いて説明する。
なお、図７は、暖房開始前の浴室２内の温度よりも洗面所３内の温度の方が低く（ΔＴ１＜ΔＴ２）、Ｎａ＝Ｎｂ（＝４）であって、暖房開始前の浴室２の室温と目標温度Ｔｏとの温度差ΔＴ１≦１０℃、暖房開始前の洗面所３の室温と目標温度Ｔｏとの温度差ΔＴ２＞１０℃と仮定した場合の温度推移を示したグラフである。
【００６１】
図７に示すように、２室暖房運転が開始されてから所定時間ｔの間は、浴室暖房機器１００及び洗面所暖房機器２００は、暖房開始前の浴室２及び洗面所３の温度と、２室暖房運転を行う際の目標温度Ｔｏと、の差分温度ΔＴ（ΔＴ１、ΔＴ２）をそれぞれ算出し、算出された差分温度ΔＴを所定温度ごとに分割する分割温度を算出する。前述したように、本例においては、暖房開始前の浴室２の室温と目標温度Ｔｏとの温度差ΔＴ１≦１０℃、暖房開始前の洗面所３の室温と目標温度Ｔｏとの温度差ΔＴ２＞１０℃であるため、浴室暖房機器１００の第一温度調整部１５２は、分割温度ΔＴａを、洗面所暖房機器２００の第二温度調整部２５２は、分割温度ΔＴｂを、温度上昇値として記憶する。言い換えると、差分温度ΔＴが大きいほど、分割温度の分割割合を大きく設定（本実施形態ではΔＴｂに設定）し、差分温度ΔＴが小さいほど分割温度の分割割合を小さく設定（本実施形態ではΔＴａに設定）する。
分割温度を温度上昇値として記憶した後、ヒータ１０４及び第二ヒータ２０４の出力を決定する。
【００６２】
なお、所定時間ｔを設けずに、２室暖房運転が開始された瞬間に、図６のステップＳ１０１〜ステップＳ１０４の処理を行うようにしてもよい。
【００６３】
そして、所定時間ｔが経過すると、浴室２の温度Ｔ１及び洗面所３の温度Ｔ２が目標温度Ｔｏに到達するように、分割温度ΔＴａごとに浴室２の温度が上昇するように浴室暖房機器１００を運転し、分割温度ΔＴｂごとに洗面所３の温度が上昇するように洗面所暖房機器２００を運転する。またこのとき、浴室暖房機器１００は洗面所３の温度、洗面所暖房機器２００は浴室２の温度に基づいて、浴室暖房機器１００及び洗面所暖房機器２００を運転する。
【００６４】
具体的には、浴室暖房機器１００においては、洗面所温度センサ２０７によって検出された洗面所３の温度を監視しながら、分割温度ΔＴａごとに浴室２の温度が上昇するように第一温度調整部１５２によって第一ヒータ１０４を制御する。より詳しくは、浴室２の温度をΔＴａ上昇させたときに、洗面所３の温度が所定温度に達していない場合、第一温度調整部１５２は、浴室２の温度を一定に維持するように浴室暖房機器１００の第一ヒータ１０４を制御する。つまり、洗面所３の温度が所定温度に達するまで（浴室２と洗面所３との温度差が小さくなるまで）、浴室２の温度を一定に維持するように、第一ヒータ１０４を制御する。洗面所３の温度が所定温度に達すると、再度、分割温度ΔＴａごとに浴室２の温度が上昇するように、第一温度調整部１５２は第一ヒータ１０４を制御する。
一方、洗面所暖房機器２００においては、浴室温度センサ１０７によって検出された浴室２の温度を監視しながら、分割温度ΔＴｂごとに洗面所３の温度が上昇するように第二温度調整部２５２によって第二ヒータ２０４を制御する。より詳しくは、洗面所３の温度をΔＴｂ上昇させたときに、浴室２の温度が所定温度に達していない場合、第二温度調整部２５２は、洗面所３の温度を一定に維持するように洗面所暖房機器２００の第二ヒータ２０４を制御する。つまり、浴室２の温度が所定温度に達するまで（浴室２と洗面所３との温度差が小さくなるまで）、洗面所３の温度を一定に維持するように、第二ヒータ２０４を制御する。浴室２の温度が所定温度に達すると、再度、分割温度ΔＴｂごとに洗面所３の温度が上昇するように、第二温度調整部２５２は第二ヒータ２０４を制御する。
【００６５】
このように、第一制御部１５０の第一温度調整部１５１（または第二制御部２５０の第二温度調整部２５１）は、分割温度の分割割合を変更することができる。そのため、浴室２または洗面所３の温度状況や差分温度等に合わせて、暖房運転を行うことができるため、暖房開始から目標温度Ｔｏ到達までに、浴室２及び洗面所３に温度差が発生してしまうことをより確実に抑制することができる。
さらに、第一制御部１５０の第一温度調整部１５１（または第二制御部２５０の第二温度調整部２５１）は、差分温度ΔＴに基づいて分割温度の分割割合を設定するので、差分温度の大小に応じて、分割温度の分割割合を変更することができる。つまり、浴室２または洗面所３の温度状況に合わせて暖房運転を行うことができるため、暖房開始から目標温度Ｔｏ到達までに、浴室及び洗面所に温度差が発生してしまうことをより確実に抑制することができる。
【００６６】
また、差分温度ΔＴが大きいほど、分割温度の分割割合が大きく設定されるので、暖房開始から目標温度Ｔｏまでの到達時間を早めることができる。そのため、暖房開始前の部屋の温度と目標温度Ｔｏとの温度差が大きい場合であっても、暖房開始から目標温度到達までの時間を短くしつつ、暖房開始から目標温度Ｔｏ到達までに浴室２及び洗面所３に温度差が発生してしまうことを抑制することができる。
【００６７】
（第二実施形態）
次に、第二実施形態に係る２室暖房システム１の浴室と洗面所の空間温度の推移について、図８を用いて説明する。
図８は、第二実施形態に係る２室暖房システムの浴室温度と洗面所温度の温度推移の一例を示すグラフである。また、図８は、暖房開始前の浴室２内の温度よりも洗面所３内の温度が低く（ΔＴ１＜ΔＴ２）、Ｎａ＞Ｎｂであって、暖房開始前の浴室２の室温と目標温度Ｔｏとの温度差ΔＴ１≦１０℃、暖房開始前の洗面所３の室温と目標温度Ｔｏとの温度差ΔＴ２＞１０℃と仮定した場合の温度推移を示したグラフである。
なお、以下の説明では、既に説明した部分と同様の部分については、既に説明した部分と同一の符号を付し、重複する説明を省略する。
【００６８】
図８に示すように、差分温度ΔＴに応じて、分割数ＮａまたはＮｂが設定される。具体的には、暖房開始前の浴室２内の温度と、暖房開始前の洗面所３内の温度とを比較し、温度が低い（差分温度ΔＴが大きい）方の分割数を、他方の分割数よりも少なく設定する。本例においては、ΔＴ１＜ΔＴ２であるため、分割数ＮａよりもＮｂが少なく設定される。つまり、ΔＴ２の分割数Ｎｂを分割数Ｎａよりも少なくすることにより、ΔＴｂの分割割合がΔＴａよりも大きく設定される。
【００６９】
そのため、差分温度ΔＴが大きいほど、分割温度の分割割合が大きく設定されるので、目標温度Ｔｏまでの到達時間を早めることができる。そのため、暖房開始前の浴室２または洗面所３の温度と目標温度Ｔｏとの差が大きい場合であっても、暖房開始から目標温度Ｔｏ到達までに浴室２および洗面所３に温度差が発生してしまうことを抑制しつつ、暖房開始から目標温度Ｔｏ到達までの時間を短くすることができる。
【００７０】
（第三実施形態）
次に、第三実施形態に係る２室暖房システム１の浴室と洗面所の空間温度の推移について、図９を用いて説明する。
図９は、第三実施形態に係る２室暖房システムの浴室温度と洗面所温度の温度推移の一例を示すグラフである。また、図９は、暖房開始前の浴室２の温度よりも洗面所３内の温度が低く（ΔＴ１＜ΔＴ２）、暖房開始前の浴室２の室温と目標温度Ｔｏとの温度差ΔＴ１≦１０℃と仮定した場合の温度推移を示したグラフである。
なお、以下の説明では、既に説明した部分と同様の部分については、既に説明した部分と同一の符号を付し、重複する説明を省略する。
【００７１】
図９に示すように、本実施形態においては、浴室暖房機器１００のみ、分割温度ごとに室温を上昇させるような制御を行っている。具体的には、浴室暖房機器１００は、暖房開始前の浴室２の温度と、２室暖房運転を行う際の目標温度Ｔｏと、の差分温度ΔＴ１を算出し、算出された差分温度ΔＴ１を所定温度ごとに分割する分割温度ΔＴａを算出する。前述したように、本例においては、暖房開始前の浴室２の室温と目標温度Ｔｏとの温度差ΔＴ１≦１０℃であるため、浴室暖房機器１００の第一温度調整部１５２は、分割温度ΔＴａを温度上昇値として記憶する。そして、浴室２の温度Ｔ１が目標温度Ｔｏに到達するように、分割温度ΔＴａごとに浴室２の温度が上昇するように浴室暖房機器１００を運転する。またこのとき、浴室暖房機器１００は、洗面所温度センサ２０７によって検出された洗面所３の温度を監視しながら、分割温度ΔＴａごとに浴室２の温度が上昇するように第一温度調整部１５２によって第一ヒータ１０４を制御する。
【００７２】
詳しくは、浴室２の温度をΔＴａ上昇させたときに、洗面所３の温度が所定温度に達していない場合、第一温度調整部１５２は、浴室２の温度を一定に維持するように浴室暖房機器１００の第一ヒータ１０４を制御する。つまり、洗面所３の温度が所定温度に達するまで（浴室２と洗面所３との温度差が小さくなるまで）、浴室２の温度を一定に維持するように、第一ヒータ１０４を制御する。洗面所３の温度が所定温度に達すると、再度、分割温度ΔＴａごとに浴室２の温度が上昇するように、第一温度調整部１５２は第一ヒータ１０４を制御する。
【００７３】
一方で、洗面所暖房機器２００は、通常の暖房運転を行う。具体的には、所定時間ｔの経過後、洗面所３の空間温度の推移が一定の傾きで目標温度Ｔｏに到達するように第二温度調整部２５２によって洗面所暖房機器２００の第二ヒータ２０４を制御する。換言すると、洗面所暖房機器２００は、浴室２の温度に基づいて、分割温度ごとに洗面所３の室温を上昇させるような制御を行わない。
【００７４】
本実施形態のように、浴室暖房機器１００または洗面所暖房機器２００の少なくとも一方が、分割温度ごとに部屋の温度が上昇するように運転するような構成でもよい。
【００７５】
（第四実施形態）
次に、第四実施形態に係る２室暖房システム１の浴室と洗面所の空間温度の推移について、図１０を用いて説明する。
図１０は、第四実施形態に係る２室暖房システムの浴室温度と洗面所温度の温度推移の一例を示すグラフである。である。また、図１０は、暖房開始前の浴室２内の温度よりも洗面所３内の温度が低く（ΔＴ１＜ΔＴ２）、暖房開始前の洗面所３の室温と目標温度Ｔｏとの温度差ΔＴ２＞１０℃と仮定した場合の温度推移を示したグラフである。
なお、以下の説明では、既に説明した部分と同様の部分については、既に説明した部分と同一の符号を付し、重複する説明を省略する。
【００７６】
図１０に示すように、本実施形態においては、洗面所暖房機器２００のみ、分割温度ごとに室温を上昇させるような制御を行っている。具体的には、洗面所暖房機器２００は、暖房開始前の洗面所３の温度と、２室暖房運転を行う際の目標温度Ｔｏと、の差分温度ΔＴ２を算出する。そして、算出されたΔＴ２を所定温度ごとに分割する分割温度を算出する。つづいて、洗面所３の室温が所定温度に達するまでは、分割温度ΔＴｂごとに洗面所３の室温が上昇するように第二ヒータ２０４を制御し、洗面所３の室温が所定温度に達した後は、分割温度ΔＴａごとに洗面所３の室温が上昇するように第二ヒータ２０４を制御する。
なお、ここでの所定温度は、目標温度Ｔｏよりも低い温度であり、例えば、目標温度Ｔｏと洗面所３との温度差が所定範囲以内に近づいたときの温度や、浴室２と洗面所３との温度差が所定範囲以内に近づいたときの温度などである。
【００７７】
一方で、浴室暖房機器１００は、通常の暖房運転を行う。具体的には、所定時間ｔの経過後、浴室２の空間温度の推移が一定の傾きで目標温度Ｔｏに到達するように、第一温度調整部１５２によって浴室暖房機器１００の第一ヒータ１０４を制御する。換言すると、浴室暖房機器１００は、洗面所３の温度に基づいて、分割温度ごとに浴室２の室温を上昇させるような制御を行わない。
【００７８】
つまり、洗面所３の室温が所定温度に達するまでは、大きい分割割合の分割温度ΔＴｂごとに洗面所３の室温を上昇させ、洗面所３の室温が所定温度に達した後は、目標温度Ｔｏまで、小さい分割割合の分割温度ΔＴａごとに洗面所３の室温を上昇させる。
このように、差分温度ΔＴが大きいほど、分割温度の分割割合が大きく設定されるので、暖房開始から目標温度Ｔｏまでの到達時間を早めることができる。そのため、暖房開始前の部屋の温度と目標温度Ｔｏとの温度差が大きい場合であっても、暖房開始から目標温度到達までの時間を短くしつつ、暖房開始から目標温度Ｔｏ到達までに浴室２及び洗面所３に温度差が発生してしまうことを抑制することができる。
【００７９】
なお、第四実施形態において、浴室暖房機器１００も、洗面所暖房機器２００と同様の制御を行うようにしてもよい。また反対に、洗面所暖房機器２００を通常の暖房運転にて運転させ、浴室２の室温が分割温度ごとに上昇させるように浴室暖房機器１００を運転させてもよい。
【００８０】
また、例えば、分割温度を一段階上昇させるごとに、分割温度の分割割合を小さくしていくように制御してもよい。
【００８１】
前述した各実施の形態が備える各要素は、技術的に可能な限りにおいて組み合わせることができ、これらを組み合わせたものも本発明の特徴を含む限り本発明の範囲に包含される。
【符号の説明】
【００８２】
１    ２室暖房システム
２    浴室
３    洗面所
４    浴室天井
５    洗面所天井
８    操作部
１００    浴室暖房機器
１０１    第一取込口
１０２    第一送風手段（第一ファン）
１０３    第一ダンパ
１０４    第一ヒータ
１０５    第一吹出口
１０６    第一ルーバ
１０７    浴室温度検出手段（浴室温度センサ）
１１０    第一内部流路
１２０    第一排出流路
１３０    浴室暖房機器筐体
１５０    第一制御部
１５１    浴室通信制御部
１５２    第一温度調整部
１５４    第一熱源駆動部
２００    洗面所暖房機器
２０１    第二取込口
２０２    第二送風手段（第二ファン）
２０３    第二ダンパ
２０４    第二ヒータ
２０５    第二吹出口
２０６    第二ルーバ
２０７    洗面所温度検出手段（洗面所温度センサ）
２１０    第二内部流路
２２０    第二排出流路
２３０    洗面所暖房機器筐体
２５０    第二制御部
２５１    洗面所通信制御部
２５２    第二温度調整部
２５４    第二熱源駆動部
Ｖ    分電盤
【図１】
2018169099.tif 000003
【図２】
2018169099.tif 000004
【図３】
2018169099.tif 000005
【図４】
2018169099.tif 000006
【図５】
2018169099.tif 000007
【図６】
2018169099.tif 000008
【図７】
2018169099.tif 000009
【図８】
2018169099.tif 000010
【図９】
2018169099.tif 000011
【図１０】
2018169099.tif 000012